(57)【特許請求の範囲】
【請求項１】
第１の筐体と、
この第１の筐体に連結支持される第２の筐体と、
前記第１の筐体と前記第２の筐体とを連結支持する二つの支持部と、
前記第１の筐体に設けられた第１のギアと、
この第１のギアに噛み合い、前記第２の筐体に設けられた第２のギアと、
を有し、
前記支持部の一つは、連結用突起と、この連結用突起が挿入される長孔とから構成され、前記第１のギアの中心と前記第２のギアの中心とを結ぶ線の方向と、前記長孔の長手方向とが略垂直であることを特徴とする画像形成装置。
【請求項２】
前記第１の筐体に設けられた像担持体と、
この像担持体に当接し前記第２の筐体に設けられたロールと、
をさらに有することを特徴とする請求項１記載の画像形成装置。
【請求項３】
前記ロールは現像ロールからなることを特徴とする請求項２記載の画像形成装置。
【請求項４】
前記現像ロールに現像剤を供給する現像剤供給室が前記第２の筐体に設けられていることを特徴とする請求項３記載の画像形成装置。
【請求項５】
前記像担持体と前記ロールとを圧接させる弾性体をさらに有することを特徴とする請求項２乃至４いずれか記載の画像形成装置。
【請求項６】
前記長孔は、前記像担持体と前記ロールとを近接又は離間させる方向の成分を有することを特徴とする請求項２乃至５いずれか記載の画像形成装置。
【請求項７】
第１の筐体と、
この第１の筐体に連結支持される第２の筐体と、
前記第１の筐体と前記第２の筐体とを連結支持する二つの支持部と、
前記第１の筐体に設けられた第１のギアと、
この第１のギアに噛み合い、前記第２の筐体に設けられた第２のギアと、
を有し、
前記支持部の一つは、連結用突起と、この連結用突起が挿入される長孔とから構成され、前記第１のギアの中心と前記第２のギアの中心とを結ぶ線の方向と、前記長孔の長手方向とが略垂直であることを特徴とするプロセスカートリッジ。
【請求項８】
第１の筐体と、
この第１の筐体に連結支持される第２の筐体と、
前記第１の筐体と前記第２の筐体とを連結支持する二つの支持部と、前記第１の筐体に設けられた第１のギアと、
この第１のギアに噛み合い、前記第２の筐体に設けられた第２のギアと、
を有し、
前記支持部の一つは、連結用突起と、この連結用突起が挿入される長孔とから構成され、前記第１のギアの中心と前記第２のギアの中心とを結ぶ線の方向と、前記長孔の長手方向とが略垂直であることを特徴とする構造体。
【発明の詳細な説明】
【技術分野】
【０００１】
本発明は、画像形成装置、プロセスカートリッジ、及び構造体に関する。
【背景技術】
【０００２】
画像形成装置、プロセスカートリッジ、及び構造体であって、第１の筺体と、第２の筺体と、第１の筺体と第２の筺体とを連結する二つの支持部とを有し、この二つの支持部のうちの一つが、連結用突起と、この連結用突起が挿入される長孔とからなる技術が知られている（特許文献１）。
【０００３】
【特許文献１】特開平７−７２６７７５号
【発明の開示】
【発明が解決しようとする課題】
【０００４】
しかしながら、従来の技術では、第１の筺体と第２の筺体とにそれぞれギアを設け、第１の筺体又は第２の筺体のいずれか一方に設けられたギアから、他方に設けられたギアに駆動伝達を行おうとした場合、駆動伝達が良好になされないことがあるとの問題点があった。すなわち、連結用突起が長孔の中で移動可能であるため、第１の筺体と第２の筺体と相対的な位置関係が変わり、第１の筺体に設けられたギアと第２の筺体に設けられたギアとが離間して両ギアの間で駆動伝達がなされなくなったり、又は、両ギアが接近し過ぎてロックが生じ駆動伝達がなされなくなったりすることがあるとの問題点があった。
【０００５】
本発明は上記問題点を解決し、第１の筺体に設けられたギアと第２の筺体に設けられたギアとの間の駆動伝達が良好になされる画像形成装置、プロセスカートリッジ、及び構造体を提供することを目的とする。
【課題を解決するための手段】
【０００６】
上記目的を達成するために、本発明の第１の特徴とするところは、第１の筐体と、この第１の筐体に連結支持される第２の筐体と、前記第１の筐体と前記第２の筐体とを連結支持する二つの支持部と、前記第１の筐体に設けられた第１のギアと、この第１のギアに噛み合い、前記第２の筐体に設けられた第２のギアと、を有し、前記支持部の一つは、連結用突起と、この連結用突起が挿入される長孔とから構成され、前記第１のギアの中心と前記第２のギアの中心とを結ぶ線の方向と、前記長孔の長手方向とが略垂直である画像形成装置にある。したがって、長孔の長手方向に生じる第１の筺体と第２の筺体との相対的な位置の移動の方向は、第１のギアの中心と第２のギアの中心とを結ぶ線の方向と略垂直方向となり、第１のギアの中心と第２のギアの中心との距離は変化しにくい。よって、第１のギアと第２のギアとが離間して駆動伝達がなされなくなったり、第１のギアと第２のギアとが接近しロックが生じて駆動伝達がなされなくなったりとの駆動伝達不良が発生しにくい。
【０００９】
また、好適には、前記第１の筐体に設けられた像担持体と、この像担持体に当接し前記第２の筐体に設けられたロールと、をさらに有することを特徴とする。したがって、加工精度誤差や組み立て誤差が加算される等の理由で、像担持体とロールとが平行にならない場合であっても、連結用突起が長孔の中を移動することで、第１の筺体と第２の筺体との相対的な位置が移動し、像担持体とロールとが良好に当接するようになる。
【００１０】
また、好適には、前記ロールが現像ロールからなることを特徴とする。したがって、加工精度誤差や組み立て誤差が加算される等の理由で、像担持体とロールとが平行にならない場合であっても、像担持体と現像ロールとが良好に当接するようになる。
【００１１】
また、好適には、前記現像ロールに現像剤を供給する現像剤供給室が前記第２の筐体に設けられていることを特徴とする。したがって、現像剤供給室を有する方の筺体を現像剤で満たされた新たなものと交換することで、現像剤の補給を行うことができる。
【００１２】
また、好適には、前記像担持体と前記ロールとを圧接させる弾性体をさらに有することを特徴とする。
【００１３】
また、好適には、前記長孔は、前記像担持体と前記ロールとを近接又は離間させる方向の成分を有することを特徴とする。したがって、連結用突起が長孔の中を移動することで、像担持体と現像ロールとを近接または離間させる方向に第１の筺体と第２の筺体との相対的な位置の変化が生じ、像担持体とロールとが良好に当接するようになる。
【００１４】
また、上記目的を達成するために本発明の第２の特徴とするところは、第１の筐体と、この第１の筐体に連結支持される第２の筐体と、前記第１の筐体と前記第２の筐体とを連結支持する二つの支持部と、前記第１の筐体に設けられた第１のギアと、この第１のギアに噛み合い、前記第２の筐体に設けられた第２のギアと、を有し、前記支持部の一つは、連結用突起と、この連結用突起が挿入される長孔とから構成され、前記第１のギアの中心と前記第２のギアの中心とを結ぶ線の方向と、前記長孔の長手方向とが略垂直であるロセスカートリッジにある。したがって、長孔の長手方向に生じる第１の筺体と第２の筺体との相対的な位置の移動の方向は、第１のギアの中心と第２のギアの中心とを結ぶ線の方向と略垂直方向となり、第１のギアの中心と第２のギアの中心との距離は変化しにくい。よって、第１のギアと第２のギアとが離間して駆動伝達がなされなくなったり、第１のギアと第２のギアとが接近しロックが生じて駆動伝達がなされなくなったりとの駆動伝達不良が発生しにくい。
【００１７】
また、上記目的を達成するために本発明の第３の特徴とするところは、第１の筐体と、この第１の筐体に連結支持される第２の筐体と、前記第１の筐体と前記第２の筐体とを連結支持する二つの支持部と、前記第１の筐体に設けられた第１のギアと、この第１のギアに噛み合い、前記第２の筐体に設けられた第２のギアと、を有し、前記支持部の一つは、連結用突起と、この連結用突起が挿入される長孔とから構成され、前記第１のギアの中心と前記第２のギアの中心とを結ぶ線の方向と、前記長孔の長手方向とが略垂直である構造体にある。したがって、長孔の長手方向に生じる第１の筺体と第２の筺体との相対的な位置の移動の方向は、第１のギアの中心と第２のギアの中心とを結ぶ線の方向と略垂直方向となり、第１のギアの中心と第２のギアの中心との距離は変化しにくい。よって、第１のギアと第２のギアとが離間して駆動伝達がなされなくなったり、第１のギアと第２のギアとが接近しロックが生じて駆動伝達がなされなくなったりとの駆動伝達不良が発生しにくい。
【発明の効果】
【００２０】
本発明によれば、第１の筺体に設けられたギアと第２の筺体に設けられたギアとの間の駆動伝達が良好になされる画像形成装置、プロセスカートリッジ、及び構造体を提供することができる。
【発明を実施するための最良の形態】
【００２１】
次に本発明の実施形態を図面に基づいて説明する。
図１において、本発明の実施形態に係る画像形成装置１０の概要が示されている。画像形成装置１０は、画像形成装置本体１２を有し、この画像形成装置本体１２内に後述する画像形成手段１４が搭載され、この画像形成装置本体１２の上部に排出部１６が設けられていると共に、この画像形成装置本体１２の下部に、例えば２段の給紙装置１８，１８が配置されている。
【００２２】
画像形成手段１４は電子写真方式のもので、現像剤像を担持する像担持体として用いられるドラム形状の感光体２８と、この感光体２８を一様帯電する帯電装置３０と、この帯電装置３０により帯電された感光体２８に、光により潜像を書き込む光書込み装置３２と、この光書込み装置３２により形成された感光体２８の潜像を現像剤により可視化する現像装置３４と、この現像装置３４による現像剤像を用紙に転写する例えば転写ロールからなる転写装置３６と、感光体２８に残存する現像剤をクリーニングするクリーニングブレード３７を備えたクリーニング装置３８と、転写装置３６により転写された用紙上の現像剤像を用紙に定着させる定着装置４０とから構成されている。光書込み装置３２は例えば走査型のレーザ露光装置からなり、後述するプロセスカートリッジ４６を横切り、感光体２８に潜像を形成する。なお、光書込み装置３２は、他の実施形態としてＬＥＤや面発光レーザ等を用いることができる。
【００２３】
画像形成手段１４を構成する部材のうち、感光体２８、帯電装置３０、現像装置３４及びクリーニング装置３８は、プロセスカートリッジ４６として一体化され交換できるようになっている。プロセスカートリッジ４６の詳細については後述する。
【００２４】
給紙装置１８は、例えば給紙カセットからなるシート収納部１９と、シート収納部に収納された最上位のシートをピックアップするピックアップロール２０と、ピックアップロール２０によりピックアップされたシートを搬送するフィードロール２１とを有し、シート収納部１９に積層された状態で収納されているシートを前述の画像形成手段１４へと供給する。
【００２５】
フィードロール２１のシート搬送方向下流にはレジストロール２２が設けられ、このレジストロール２２の下流側には、前述の転写装置３６とプロセスカートリッジ４６の感光体２８とが設けられ、さらに下流側には前述の定着装置４０が設けられている。
【００２６】
図２乃至６には、本発明の実施形態に係るプロセスカートリッジ４６の詳細が示されている。図２乃至６に示すように、プロセスカートリッジ４６は、第１の筺体として用いられる感光体ユニット４８と、この感光体ユニット４８に連結支持される第２の筺体として用いられる現像ユニット５８と、感光体ユニット４８と現像ユニット５８とを連結支持する二つの支持部として用いられる第１の支持部４２及び第２の支持部４４を有している。
【００２７】
このプロセスカートリッジ４６は、第１の筺体として用いられる感光体ユニット４８と、この感光体ユニット４８に連結される第２の筺体として用いられる現像ユニット５８と、感光体ユニット４８と現像ユニット５８とを連結支持する二つの支持部として用いられる第１の支持部４２及び第２の支持部４４を有する構造体としても用いられる。
【００２８】
感光体ユニット４８は、先述の感光体２８、帯電装置３０、及びクリーニング装置３８が配設される感光体ユニット本体５０と、この感光体ユニット本体５０に装着される感光体駆動用ギア５６とを有する。
【００２９】
感光体ユニット本体５０は、図５における紙面後側の側板である感光体ユニット一方側板５０ａと、同図における紙面前側の側板である感光体ユニット他方側板５０ｂと、これら側板の間の位置に設けられたフレーム５０ｃとを有していて、感光体ユニット他方側板５０ｂには、後述するバネ８０の一端部が係合されるバネ係合部５０ｄが設けられている。
【００３０】
感光体駆動用ギア５６は、感光体２８の軸に直接に装着され、画像形成装置本体１２側に設けられた図示を省略する駆動源から駆動伝達を受けて回転し、感光体２８を回転させる。この感光体駆動用ギア５６は、フレーム５０ｃの感光体ユニット一方側板５０ａの側と、感光体ユニット他方側板５０ｂ側とにそれぞれ一つ設けられており、これら感光体駆動用ギア５６の回転軸５６ａの方向が、第１の突起５２と第２の突起５４とを結ぶ線の方向と同方向、または、略同方向となっている。
【００３１】
現像ユニット５８は、先述の現像装置３４をユニット化したものであり、現像ユニット本体６０に、先述の感光体２８に形成された潜像を現像する部位である現像室６２と、この現像室６２に現像剤を供給する現像剤供給室６５と、先述の感光体駆動用ギア５６と噛み合う第２のギアとして用いられるアイドルギア７６と、アイドルギア７６からの駆動伝達を受けて回転する現像装置駆動用ギア７４とが設けられている。
【００３２】
現像ユニット本体６０は、現像ユニット一方側板６０ａと現像ユニット他方側板６０ｂとを有し、この現像ユニット他方側板６０ｂに、後述するバネ８０が係合されるバネ係合部６０ｃが設けられている。
【００３３】
現像室６２には、感光体２８に当接するロールとして用いられる現像ロール３５が、その一部分が現像ユニット本体６０から露出する状態で配設されており、現像ユニット５８と感光体ユニット４８とが連結されると、現像ロール３５の現像ユニット本体６０から露出した部分が感光体２８に当接する状態となる。現像ロール３５は、内部にマグネットロールを備え、感光体２８へ当接した状態で感光体２８に現像剤を供給し、感光体２８に形成された潜像を現像して感光体２８の表面にトナー像を形成する。
【００３４】
現像剤供給室６５は、開口部６３を介して現像室６２に連通しており、現像室６２に供給するための現像剤が収納されているとともに、この現像剤を撹拌する撹拌器６４が配設されている。撹拌器６４は、可撓性の撹拌板６６を有し、この撹拌板６６が軸６４ａを中心に回転をすることで、現像剤供給室６５内の現像剤が撹拌されつつ、現像室６２へと供給される。
【００３５】
アイドルギア７６は、先述の感光体駆動用ギア５６からの駆動伝達を受けて回転し、現像装置駆動用ギア７４へと駆動を伝達する。アイドルギア７６は、現像ユニット他方側板６０ｂに設けられている。
【００３６】
現像装置駆動用ギア７４は、撹拌器６４の軸６４ａに装着されていて、アイドルギア７６からの駆動伝達を受けて回転し、撹拌器６４を回転させる。
【００３７】
第１の支持部４２は、先述の感光体ユニット４８に取り付けられた第１の突起５２と、先述の現像ユニット５８に設けられ第１の突起５２が挿入される第１の挿入孔７０とからなる（図４（ｂ）参照）。
【００３８】
第１の突起５２は、円柱形状の突起であり、先述の感光体ユニット本体５０のフレーム５０ｃから感光体ユニット一方側板５０ａの方向（図３において紙面の後側へ向かう方向）に突出する状態で設けられている。
【００３９】
第１の挿入孔７０は、現像ユニット一方側板６０aの上方に突出した部分に設けられた円形の貫通孔であり、第１の突起５２の断面形状と合同か略合同な形状を有している。この第１の挿入孔７０に第１の突起５２が挿入され、第１の突起５２が第１の挿入孔７０に回転可能な状態で支持される。
【００４０】
第２の支持部４４は、先述の感光体ユニット４８に取り付けられ連結用突起として用いられる第２の突起５４と、先述の現像ユニット５８の側に設けられ第２の突起５４が挿入される長孔として用いられる第２の挿入孔７２とからなる（図４（ａ）参照）。このように、画像形成装置１０及びプロセスカートリッジ４６は、感光体ユニット４８と現像ユニット５８とを連結支持する二つの支持部として用いられる第１の支持部４２と第２の支持部４４とを有し、これら二つの支持部の一つである第２の支持部４４は、連結用突起として用いられる第２の突起５４と、この第２の突起５４が挿入される長孔として用いられる第２の挿入穴とから構成されている。
【００４１】
第２の突起５４は、円柱形状の突起であり、先述の感光体ユニット本体５０のフレーム５０ｃから感光体ユニット他方側板５０ｂの方向（図３のおいて紙面前側へ向かう方向）に突出する状態で設けられる。
【００４２】
第２の挿入孔７２は、現像ユニット他方側板６０ｂの上方に突出した部分に設けられた貫通孔であり、第２の突起５４が挿入された状態で移動可能な大きさの長孔となっている。図３に示すように、線分Ｌ１で示す長孔である第２の挿入孔７２の長手方向は、第１のギアとして用いられる感光体駆動用ギア５６の中心と第２のギアとして用いられるアイドルギア７６の中心とを結ぶ線分Ｌ２の方向と異なる方向となっており、また、この線分Ｌ２の方向と線分Ｌ１で示す長孔の長手方向とは、垂直若しくは略垂直となっている。
【００４３】
この第２の挿入孔７２は、感光体ユニット４８と現像ユニット５８とが当接された状態において、現像ロール３５と感光体２８とを近接又は離間させる方向の成分を有している。すなわち、図５に示すように、現像ロール３５の中心と感光体２８の中心とを結ぶ線分Ｌ３の方向の成分を、第２の挿入孔７２の長手方向を示す線分Ｌ１が有している。
【００４４】
また、第２の突起５４が第２の挿入孔７２内で移動可能な距離の、感光体駆動用ギア５６の中心とアイドルギア７６の中心を結ぶ線の方向（線分Ｌ２の方向）と垂直な方向（線分Ｌ１の方向）の成分が、感光体駆動用ギア５６のモジュール以下となっている。すなわち、図６に示すように、第２の挿入穴７２の上端部に位置する状態にある第２の突起５４と、第２の挿入穴７２の下端部に位置する状態にある第２の突起５４との間の距離の線分Ｌ１方向の成分Ａが、感光体駆動用ギア５６のモジュール以下となっている。ここで、モジュールとは、ギアのピッチ円の直径をｄ、ギアの歯数をｚとしたときに、πｄ／ｚで求められる長さをいう。
【００４５】
以上で説明をした現像ユニット５８と前述の感光体ユニット４８とが連結された状態において、像担持体として用いられる感光体２８と現像ロール３５とが、付勢部材であり弾性体として用いられるバネ８０により圧接される。このバネ８０は、一端が感光体ユニット本体５０のバネ係合部５０ｄに係合され、他端が現像ユニット本体６０のバネ係合部６０ｃに係合される。
【００４６】
次に上記実施形態の作用について説明する。
感光体ユニット４８と現像ユニット５８とが連結された状態とするには、感光体ユニット４８に設けられた第１の突起５２と第２の突起５４とを、それぞれ現像ユニット５８に設けられた第１の挿入孔７０と第２の挿入孔７２とに挿入する。この状態において、第２の突起５４は長孔からなる第２の挿入孔７２の中で移動可能であるため、感光体ユニット４８と現像ユニット５８とは連結された状態を保ちつつ、相対的な位置の移動が可能である。
【００４７】
感光体ユニット４８と現像ユニット５８とが連結されつつ、相対的な位置の移動が可能な状態の下で、バネ８０が感光体２８と現像ロール３５とを圧接させる。このため、加工精度誤差や組立精度誤差が加算される等の理由で、感光体２８と現像ロール３５とが平行な状態となっていなかったとしても、感光体ユニット４８と現像ユニット５８との相対的な位置の移動がなされ、感光体２８と現像ロール３５とが良好に当接するようになる。
【００４８】
感光体ユニット４８と現像ユニット５８との相対的な位置が移動する場合、その移動は現像ユニット５８に設けられた第２の挿入孔７２の長手方向になされる。そして、この長手方向と、感光体ユニット４８が有する感光体駆動用ギア５６と現像ユニット５８の中心とが有するアイドルギア７６の中心とを結ぶ線の方向とは略垂直である。よって、感光体ユニット４８と現像ユニット５８との相対的な位置が移動しても、感光体駆動用ギア５６の中心とアイドルギア７６の中心との距離は変化しにくく、両ギアが離間してしまったり、両ギアが接近し過ぎてロックが生じてしまったりとの理由による駆動伝達不良が生じにくい。
【００４９】
また、感光体ユニット４８と現像ユニット５８との相対的な位置が移動する場合、その最大の移動距離は、第２の挿入穴７２内を第２の突起５４が移動可能な距離となる。そして、この第２の挿入穴７２内を第２の突起５４が移動可能な距離の、感光体駆動用ギア５６の中心とアイドルギア７６の中心とを結ぶ線の方向と垂直な方向の成分が、感光体駆動用ギア５６のモジュール以下となっている。よって、モジュール以上の長さの移動が生じる場合と比較して、第１のギアと第２のギアとが噛み合わなくなり、駆動伝達がなされなくなるとの問題が生じにくい。
【００５０】
感光体ユニット４８と現像ユニット５８とが連結された状態のプロセスカートリッジ４６が画像形成装置本体１２に装着されて画像形成が開始されると、感光体２８が帯電装置３０により一様に帯電され、この帯電された状態の感光体２８に、光書き込み装置３２が潜像の書き込みを行い、この潜像が現像装置３４により現像されて感光体２８の表面にトナー像の形成がなされる。
【００５１】
このトナー像の形成と同時に、給紙装置１８からシートの供給がなされ、このシートがレジストロール２２により一時停止され、タイミングをとって転写装置３６へと導かれ、転写装置３６でシートへのトナー像の転写がなされ、定着装置４０でトナー像のシートへの定着がなされた後、シートが排出部１６から排出されて画像形成がなされる。
【００５２】
以上で説明をした実施形態では、感光体ユニット４８に第２の突起５４を設け、現像ユニット５８に長孔からなる第２の挿入孔７２を設け、第２の突起５４と第２の挿入孔７２とで第２の支持部を構成しているが、感光体ユニット４８側に長孔を設け、現像ユニット５８側に突起を設けることで第２の支持部を構成しても良い。また、以上で説明をした実施形態では、第１の支持部４２と第２の支持部４４との二つの支持部のうち、第２の支持部４４を連結用突起と長孔とから構成される支持部としているが、第１の支持部４２を連結用突起と長孔とから構成される支持部としても良い。
【産業上の利用可能性】
【００５３】
以上述べたように、本発明は、画像形成装置、プロセスカートリッジ、及び構造体に適用することができる。
【図面の簡単な説明】
【００５４】
【図１】本発明の実施形態に係る画像形成装置を正面側から示す断面図である。
【図２】本発明の実施形態に係るプロセスカートリッジを正面側から示す断面図である。
【図３】本発明の実施形態に係るプロセスカートリッジを背面側から示し、感光体ユニットと現像ユニットとが連結される状態を示す一部断面図である。
【図４】本発明の実施形態に係るプロセスカートリッジを示し、図（ａ）は第２の支持部近傍を拡大して背面側から示す説明図であり、図（ｂ）は第１の支持部近傍を拡大して正面側から示す説明図である。
【図５】本発明の実施形態に係るプロセスカートリッジが分解された状態を背面側から示す説明図である。
【図６】本発明の実施形態に係るプロセスカートリッジの第２の支持部近傍を拡大して示し、連結用突起が長孔内で移動する状態を示す説明図である。
【符号の説明】
【００５５】
１０    画像形成装置
１２    画像形成装置本体
１４    画像形成手段
２８    感光体
３４    現像装置
３５      現像ロール
４２    第１の支持部
４４    第２の支持部
４６    プロセスカートリッジ
４８    感光体ユニット（第１の筺体）
５２    第１の突起
５４    第２の突起（連結用突起）
５６    感光体駆動用ギア（第１のギア）
５８    現像ユニット（第２の筺体）
７０    第１の挿入孔
７２    第２の挿入孔（長孔）
７４    現像装置駆動用ギア
７６    アイドルギア（第２のギア）
８０    バネ（弾性体）
【図１】
0004766378.tif 000002
【図２】
0004766378.tif 000003
【図３】
0004766378.tif 000004
【図４】
0004766378.tif 000005
【図５】
0004766378.tif 000006
【図６】
0004766378.tif 000007